(57)【要約】【課題】小型の撮像モジュールおよび撮像素子パッケージを提供する。【解決手段】レンズ鏡筒ユニット１１０と撮像回路ユニット１２０を一体化した撮像モジュール１００において、撮像回路ユニット１２０は、被写体像をデジタル画像データとして出力する単一の撮像素子パッケージ１３０を具備しており、この撮像素子パッケージ１３０は、被写体像を光電変換する撮像素子１３１と、この撮像素子１３１の出力信号をデジタル変換するＡ／Ｄ変換回路１３３と、外部からの制御信号に基づいてＡ／Ｄ変換回路１３３の出力画像をトリミング処理する読出回路１３５と、この読出回路１３５でトリミングされた画像を所定のサイズに調整する拡大回路１３６を含んでいる。このため、外部からの制御信号によって切り出し位置を変えることができる。【選択図】  図１
2008193359.tif 000002
【特許請求の範囲】
【請求項１】
レンズユニットと撮像回路ユニットを一体化した撮像モジュールにおいて、
上記撮像回路ユニットは、被写体像をデジタル画像データとして出力する単一の撮像素子パッケージを具備しており、この撮像素子パッケージは、
被写体像を光電変換する撮像素子と、
この撮像素子の出力信号をデジタル変換するＡ／Ｄ変換回路と、
外部からの制御信号に基づいて上記Ａ／Ｄ変換回路の出力画像をトリミング処理する切出回路と、
上記切出回路でトリミングされた画像を所定のサイズに調整する拡大回路と、
を含んでいることを特徴とする撮像モジュール。
【請求項２】
上記切出回路は、上記制御信号に応じて、上記トリミングを行なう切り出し座標と切り出し範囲を変更することを特徴とする請求項１に記載の撮像モジュール。
【請求項３】
上記制御信号に応じて切り出し座標と切り出し範囲の組み合わせを記憶する記憶回路を含み、上記切出回路は上記記憶回路に記憶された上記組み合わせに従って、上記トリミング処理を行なうことを特徴とする請求項１に記載の撮像モジュール。
【請求項４】
上記拡大回路は、上記トリミングされた画像を補間演算により画素データ数を増加させ、上記所定のサイズに調整することを特徴とする請求項１に撮像モジュール。
【請求項５】
レンズユニットと、撮像回路ユニットを一体化した撮像モジュールにおいて、
上記撮像回路ユニットは、被写体像をデジタル画像データとして出力する単一の撮像素子パッケージを具備しており、この撮像素子パッケージは、
被写体像を光電変換してデジタル画像データに変換する撮像手段と、
上記デジタル画像データに対して電子ズーム処理を行なう電子ズーム手段と、
を含んでいることを特徴とする撮像モジュール。
【請求項６】
上記電子ズーム処理は、外部からの制御信号に基づいて実行されることを特徴とする請求項５に記載の撮像モジュール。
【請求項７】
上記電子ズーム処理は、テレ側のデジタル画像データを出力する際には、補間演算により画素データ数を増加させることを特徴とする請求項５に記載の撮像モジュール。
【請求項８】
被写体像を光電変換する撮像素子と、
この撮像素子を駆動する駆動回路と、
上記撮像素子の出力信号をデジタル変換するＡ／Ｄ変換回路と、
外部からの制御信号に基づいて上記Ａ／Ｄ変換回路の出力画像をトリミング処理する切出回路と、
この切出回路でトリミングされた画像を所定のサイズに調整する拡大回路と、
を１つのパッケージ内に収容したことを特徴とする撮像素子パッケージ。
【請求項９】
上記撮像素子を含む基板と、他の回路を含む基板とが積層されていることを特徴とする請求項８に記載の撮像素子パッケージ。
【発明の詳細な説明】
【技術分野】
【０００１】
本発明は、撮像モジュール及び撮像素子パッケージに関し、詳しくはレンズユニットと撮像回路ユニットからなる、いわゆる撮像モジュールと、この撮像モジュールに搭載される撮像素子パッケージに関する。
【背景技術】
【０００２】
デジタルカメラ等の撮像装置は複数のユニットの組み合わせから構成されている。その中で、特に、レンズユニットと撮像回路ユニットを複合した撮像モジュールは、撮像装置の主要部分である。近年では、この撮像モジュール単体でも取引対象となってきている。
【０００３】
ところで、近年、デジタルカメラは小型化が進んでおり、撮像モジュールに関しても、小型化の要求が強くなってきており、撮像素子とその周辺回路を実装基板上に効率的に配置する技術が提案されている（例えば、特許文献１および特許文献２参照）。
【特許文献１】特開２００３−２１９２２７号公報
【特許文献２】特開２００５−０８５９７６号公報
【発明の開示】
【発明が解決しようとする課題】
【０００４】
上述の如く、撮像モジュールの小型化に関して、種々の提案がなされているが、撮像系の電気回路としては、撮像素子以外に撮像素子駆動回路、アナログ信号処理回路、ＡＤ変換回路等、種々の回路が必要である。このため、それぞれのＩＣパッケージを基板上に配置する従来の実装方法では、基板面積が大きくなり、撮像モジュールの小型は困難であった。また、最近のデジタルカメラにおいては、ズーム機構が必須となってきており、ズーム機構を組み込んだ撮像モジュールでは、光学系の小型化に限界がある。したがって、これらの事情により、撮像モジュール単体での小型化は困難であった。
【０００５】
本発明は、このような事情を鑑みてなされたものであり、小型の撮像モジュールおよび撮像素子パッケージを提供することを目的とする。
【課題を解決するための手段】
【０００６】
上記目的を達成するため第１の発明に係わる撮像モジュールは、レンズユニットと撮像回路ユニットを一体化した撮像モジュールにおいて、上記撮像回路ユニットは、被写体像をデジタル画像データとして出力する単一の撮像素子パッケージを具備しており、この撮像素子パッケージは、被写体像を光電変換する撮像素子と、この撮像素子の出力信号をデジタル変換するＡ／Ｄ変換回路と、外部からの制御信号に基づいて上記Ａ／Ｄ変換回路の出力画像をトリミング処理する切出回路と、上記切出回路でトリミングされた画像を所定のサイズに調整する拡大回路を含んでいる。
【０００７】
第２の発明に係わる撮像モジュールは、上記第１の発明において、上記切出回路は、上記制御信号に応じて、上記トリミングを行なう切り出し座標と切り出し範囲を変更する。
また、第３の発明に係わる撮像モジュールは、上記第１の発明において、上記制御信号に応じて切り出し座標と切り出し範囲の組み合わせを記憶する記憶回路を含み、上記切出回路は上記記憶回路に記憶された上記組み合わせに従って、上記トリミング処理を行なう。
さらに、第４の発明に係わる撮像モジュールは、上記第１の発明において、上記拡大回路は、上記トリミングされた画像を補間演算により画素データ数を増加させ、上記所定のサイズに調整する。
【０００８】
上記目的を達成するため第５の発明に係わる撮像モジュールは、レンズユニットと、撮像回路ユニットを一体化した撮像モジュールにおいて、上記撮像回路ユニットは、被写体像をデジタル画像データとして出力する単一の撮像素子パッケージを具備しており、この撮像素子パッケージは、被写体像を光電変換してデジタル画像データに変換する撮像手段と、上記デジタル画像データに対して電子ズーム処理を行なう電子ズーム手段を含む。
【０００９】
第６の発明に係わる撮像モジュールは、上記第５の発明において、上記電子ズーム処理は、外部からの制御信号に基づいて実行される。
また、第７の発明に係わる撮像モジュールは、上記第５の発明において、上記電子ズーム処理は、テレ側のデジタル画像データを出力する際には、補間演算により画素データ数を増加させる。
【００１０】
上記目的を達成するため第８の発明に係わる撮像素子パッケージは、被写体像を光電変換する撮像素子と、この撮像素子を駆動する駆動回路と、上記撮像素子の出力信号をデジタル変換するＡ／Ｄ変換回路と、外部からの制御信号に基づいて上記Ａ／Ｄ変換回路の出力画像をトリミング処理する切出回路と、この切出回路でトリミングされた画像を所定のサイズに調整する拡大回路とを１つのパッケージ内に収容している。
また、第９の発明に係わる撮像素子パッケージは、上記第８の発明において、上記撮像素子を含む基板と、他の回路を含む基板とが積層されている。
【発明の効果】
【００１１】
本発明によれば、画像をトリミング処理する切出回路と、この切出回路でトリミングされた画像を所定のサイズに調整する拡大回路を有しており、またはデジタル画像データに対して電子ズーム処理を行なう電子ズーム手段を有しているので、小型の撮像モジュールおよび撮像素子パッケージを提供することができる。
【発明を実施するための最良の形態】
【００１２】
以下、図面に従って本発明を適用した撮像モジュール、及びこの撮像モジュールに組み込む撮像素子パッケージを用いて好ましい実施形態について説明する。この撮像モジュールは焦点距離可変の撮影光学系と、この撮影光学系によって結像される被写体像を光電変換する撮像素子と、この撮像素子から出力される画像信号を処理するための回路を備えている。
【００１３】
撮像モジュール１００と、この撮像モジュール１００と組み合わされるカメラ本体２００の主として電気的構成について、図１を用いて説明する。撮像モジュール１００内のレンズ鏡筒ユニット１１０内には、被写体像を結像するための撮影光学系１１２が配置され、この撮影光学系１１２はレンズ駆動機構１１４によって焦点調節と焦点距離調節が行われる。
【００１４】
撮影光学系１１２の光路上には、撮像素子１３１の受光光量を調節するためのＮＤフィルタ１１３が配置されている。ＮＤフィルタ１１３は透過光量を変化させることのできる光学素子であり、ＮＤフィルタの代わりに絞り装置を用いても良い。このＮＤフィルタ１１３は光量調節機構１１５に接続され、駆動される。なお、光量調節機構１１５およびレンズ駆動機構１１４は、撮像モジュール１００と組み合わされるカメラ本体２００から制御信号を受け駆動される。
【００１５】
撮像モジュール１００内の撮像回路ユニット１２０内であって、撮影光学系１１２の光路上には、赤外カットフィルタおよびローパスフィルタ１２１が配置されている。ローパスフィルタは、被写体像の高周波成分をカットし、低周波のみを通過させるための光学的フィルタであり、また赤外カットフィルタは、赤外光成分をカットする光学的フィルタである。
【００１６】
赤外カットフィルタおよびローパスフィルタ１２１の背後であって、撮影光学系１１２の光路上には、撮像素子ユニット１３０が配置されている。撮像素子ユニット１３０内には、撮像素子１３１が配置されており、被写体像を光電変換し、アナログ画像信号を出力する。撮像素子１３１としては、ＣＣＤ（Charge Coupled Devices）や、ＣＭＯＳ（Complementary Metal Oxide Semiconductor）等の二次元撮像素子を用いる。
【００１７】
撮像素子１３１は、撮像素子駆動回路１３９に接続されており、この撮像素子駆動回路１３９は、カメラ本体２００内のシーケンスコントローラ（以下、ＣＰＵと略する）２０１によって制御される。撮像素子１３１は、アナログ画像信号をアナログ信号処理回路１３２に出力する。
【００１８】
アナログ信号処理回路１３２は、アナログ画像信号の増幅処理等を行い、Ａ／Ｄ変換回路１３３に出力する。Ａ／Ｄ変換回路１３３はアナログ画像信号をデジタルに変換し、この画像データを、ＳＤＲＡＭ等の一時記憶メモリ１３４に出力し、一時記憶メモリ１３４は画像データの一時記憶を行う。一時記憶メモリ１３４は、記憶した画像データを読出回路１３５に出力する。
【００１９】
この読出回路（切出回路）１３５は、後述するように、一時記憶メモリ１３４に記憶された撮像領域全体に対応するデジタル画像データの中から、ズーミング指令に応じて、画像データの切り出し（トリミング）を行う回路である。読出回路１３５は設定回路１３７に接続しており、この設定回路１３７は、ズーミング指令を出力するＣＰＵ２０１と記憶回路１３８に接続されている。
【００２０】
記憶回路１３８はズーミングに応じた切り出し位置（座標）と、そのときの切り出し範囲を記憶している。なお、記憶回路１３８は、電気的に書き換え可能な、例えば、Ｅ２ＰＲＯＭ等の不揮発性メモリであるであるが、個々の製品に係わらず一律の値でも構わない場合にはＲＯＭでも良い。
【００２１】
読出回路１３５の出力は、拡大回路１３６に接続されている。読出回路１３５によって読み出されるデジタル画像は、ズーミングによってその読み出し範囲（切り出し範囲）が変化し、テレ側（長焦点距離側）の場合には、読み出される画像データの画素データ数は少なくなる。このように、画素データ数が少なくなった場合でも、一定の画素データ数の画像データを出力するように、拡大回路１３６は、補間演算等により画像データの数を増加させている。これらの読出回路１３５、拡大回路１３６、設定回路１３７および記憶回路１３８等によって電子ズーム手段が構成される。
【００２２】
拡大回路１３５はカメラ本体２００内の画像処理回路２０３に接続されている。画像処理回路２０３の出力は、液晶モニタ駆動回路２０５に接続され、液晶モニタ駆動回路２０５の出力は液晶モニタ２０６に接続されている。画像処理回路２０３は、拡大回路１３６から出力されるデジタル画像データのデジタル的増幅（デジタルゲイン調整処理）、色補正、ガンマ(γ)補正、コントラスト補正、白黒・カラーモード処理、スルー画像処理といった各種の画像処理を行なう。画像処理回路２０３によって処理されたデジタル画像データは、液晶モニタ駆動回路２０５において液晶モニタ２０６の表示用の映像信号に変換され、液晶モニタ２０６に表示される。
【００２３】
また、画像処理回路２０３の出力は記録媒体制御回路２１０に接続され、この記録媒体制御回路２１０の出力は記録媒体２１１に接続される。被写体像のデジタル画像データがＪＰＥＧ形式やＭＰＥＧ形式等に圧縮され記録媒体制御回路２１０によって、記録媒体２１１に記録される。また液晶モニタ２０６には、撮影にあたって被写体像の観察用画像と、記録媒体２１１に記録された被写体像の再生画像の表示がなされる。
【００２４】
カメラ本体２００内には、ズームボタン（不図示）が設けられており、このズームボタンに連動するズームスイッチ２１３がＣＰＵ２０１に接続されている。ズームボタンは撮影光学系１１２の焦点距離を長焦点側や短焦点側にズーミングを行う場合に操作するボタンであって、ズーミング操作に応じてズームスイッチ２１３から、そのズーミング方向がＣＰＵ２０１に伝えられる。ＣＰＵ２０１は、ズーミング方向を含むズーミング指示を設定回路１３７に伝達する。
【００２５】
また、ＣＰＵ２０１は、撮像モジュール１００内の光量調節機構１１５に光量調節信号を送信し、レンズ駆動機構１１４に合焦駆動のための制御信号を送信する。なお、図示しないが、画像記録開始を指示するためのレリーズスイッチ等の各種スイッチもＣＰＵ２０１に接続されている。
【００２６】
次に、撮像モジュール１００の構造について、図２を用いて説明する。図２は撮像モジュール１００の断面図であり、レンズ鏡筒ユニット１１０の移動枠１１６に撮影光学系１１２は固定されている。移動枠１１６は固定枠１１７に保持されており、レンズ駆動用アクチュエータ１１４ａによって、撮影光学系１１２の光軸方向に沿って進退自在に制御される。なお、レンズ駆動用アクチュエータ１１４ａは、レンズ駆動機構１１４の一部であり、撮影光学系１１２のピント合わせ用モータや、焦点距離調節用のモータ等によって構成される。
【００２７】
また、固定枠１１７には、撮影光学系１１２の光路中に介挿自在なＮＤフィルタ１１３が設けられ、このＮＤフィルタ１１３は、ＮＤフィルタ駆動用アクチュエータ１１５ａによって駆動される。なお、ＮＤフィルタ駆動用アクチュエータ１１５ａは、光量調節機構１１５の一部である。撮影光学系１１２の光軸上には、赤外カットフィルタおよびローパスフィルタ１２１と、撮像素子ユニット１３０が配置されている。撮像素子ユニット１３０は撮像素子基板１１８に保持されており、この撮像素子基板１１８は、ネジ１１９によって固定枠１１７に固定されている。
【００２８】
次に、撮像素子ユニット１３０の構成について、図３を用いて説明する。撮像素子ユニット１３０は、公知のシステム・イン・パッケージ（ＳｉＰ）技術を利用して、基板・チップを積層している。一般に、撮像素子の画素数が増えると、転送速度を速くしないと、カメラの動作シーケンスが遅くなってしまうという問題がある。ＳｉＰ技術を用いれば、配線を短くすることができるので、動作クロックが高速化されても、不要輻射の軽減が可能となる。
【００２９】
撮影光学系１１２によって結像された被写体像を光電変換する撮像素子１３１の裏面側には第１スペーサー１６４ａが配置されている。この第１スペーサー１６４ａを挟んで、撮像素子１３１の裏面側にはアナログ信号処理回路１３２、Ａ／Ｄ変換回路１３３および撮像素子駆動回路１３９等からなる種々の回路を含む第１回路基板１６２が配置されている。この第１回路基板１６２の裏面側には第２スペーサー１６４ｂが配置され、この第２スペーサー１６４ｂを挟んで、第１回路基板１６２の裏面側には一時記憶メモリ１３４、読出回路１３５、拡大回路１３６、設定回路１３７および記憶回路１３８を含む第２回路基板１６３が配置されている。
【００３０】
これらの撮像素子１３１、第１スペーサー１６４ａ、第１回路基板１６２、第２スペーサー１６４ｂおよび第２回路基板１６３が積層され、撮像素子ユニット１３０内の薄い基板であるインターポーザ１６６上に配置されている。撮像素子１３１、第１回路基板１６２および第２回路基板１６３内の各回路素子は、それぞれボンディングワイヤ１６５および電極１６７を介して外部の回路と接続している。各部材の周囲はパッケージ１６９で囲まれており、また撮像素子１３１の受光面側にはカバーガラス１６８が設けられているので、内部は気密状態に保持され、ゴミ等の侵入を防止することができる。
【００３１】
以上の如く構成されている本発明の一実施形態の動作、特にズーミング動作について説明する。撮影光学系１１２によって撮像素子１３１上に結像された被写体像は、アナログ画像信号に変換され、アナログ信号処理回路１３２によって増幅処理等を施される。そして、Ａ／Ｄ変換回路１３３によってデジタル画像データに変換され、一時記憶メモリ１３４に記憶される。このときのデジタル画像データは、図４（Ａ）に示すように、撮像可能領域３０１に対応する画像データが記憶されている。
【００３２】
カメラ本体２００内のズームスイッチ２１３によって入力されたズーミング操作情報に基づいて、ＣＰＵ２０１は設定回路１３７にズーミング方向を含むズーミング指示を出力する。設定回路１３７は、ズーミング指示に基づいて、記憶回路１３８から切り出し座標と、対応する切り出し範囲を示すデータを読み出す。すなわち、テレ方向のズーミング指示がなされた場合には、現在設定されている焦点距離に対応する切り出し座標から順次、テレ側の切り出し座標を選択し、この切り出し座標に対応する切り出し範囲を選択する。一方、ワイド側のズーミング指示がなされた場合には、ワイド側に切り出し座標を順次選択し、また切り出し範囲も選択する。
【００３３】
読出回路１３５は、設定回路１３７から出力されるズーミング指示に従った切り出し座標と切り出し範囲に基づいて、一時記憶メモリ１３４に記憶されたデジタル画像から読み出しを行なう。このとき、読出領域の最大範囲に対応する切り出し座標は切り出し基準座標（ｘ０、ｙ０）３０３であり、このとき読み出される範囲が切り出し基準範囲３０４である。ズーミング指示に応じて、その切り出し座標と切り出し範囲は変化していく。
【００３４】
読出回路１３６によって読み出されたデジタル画像データは、拡大回路１３６に出力される。拡大回路１３６は、読み出されたデジタル画像データの画素が少ない場合には、補間演算を行い、画素データ数を増加させ、一定数以上の画素データ数にして出力する。例えば、図４（Ａ）に示すように、切り出し座標（ｘ１、ｙ１）３０５で切り出し範囲３０６にズーミングを行なった場合には、このままでは、画素数が少ないので、拡大回路１３６によって補間演算を行い、図４（Ｂ）に示すように、切り出し基準範囲３０４とほぼ同等のサイズ・画素データ数のデジタル画像データを出力する。
【００３５】
このように、ズーミング操作に応じて、読出回路１３５は読み出し範囲を変え、テレ側にズーミングされるにつれ、読み出される画素データ数は減少するが、拡大回路１３６によって画素データ数を増加させて、一定の画素数の画像データを出力するようにしている。
【００３６】
拡大回路１３６から出力されるデジタル画像データは、カメラ本体２００に出力され、カメラ本体２００内の液晶モニタ２０６に表示され、また記録媒体２１１に記録される。カメラ本体２００としては、実施形態のような構成は必ずしも必要ではないが、撮像モジュール１００に対して、ズーミング指示の出力端や、拡大回路１３６からデジタル画像データの入力端等の接続部を設ける必要がある。
【００３７】
以上のように本発明の実施形態における、レンズ鏡筒ユニット１１０と撮像回路ユニット１２０を一体化した撮像モジュール１００において、撮像回路ユニット１２０は、被写体像をデジタル画像データとして出力する単一の撮像素子パッケージ１３０を具備しており、この撮像素子パッケージ１３０は、被写体像を光電変換する撮像素子１３１と、この撮像素子１３１の出力信号をデジタル変換するＡ／Ｄ変換回路１３３と、外部からの制御信号に基づいてＡ／Ｄ変換回路１３３の出力画像をトリミング処理する読出回路（切出回路）１３５と、この読出回路１３５でトリミングされた画像を所定のサイズに調整する拡大回路１３６を含んでいる。このため、外部からの制御信号によって切り出し位置を変えることのできる、小型の撮像モジュールを提供することができる。
【００３８】
また、本実施形態においては、撮像モジュール１００の外部からズーミング指示を入力することにより、画像の切り出し座標を変更し、ズーミングを行なうことができるので、ズーミング機能を有する小型の撮像モジュールを提供することができる。
【００３９】
さらに、本実施形態においては、切り出し座標と、その切り出し範囲を組み合わせて、記憶回路１３８に記憶しているので、撮像モジュール外部からの制御信号に応じて、順次、記録回路からデータを読み出せばよいので、高速に画像の切り出し処理を行なうことができる。また記憶回路１３８は、不揮発性メモリで構成されているので、記憶回路１３５の給電が停止されても、データを失うことがない。また、不揮発性メモリは、電気的に書き換え可能であるので、個々の製品ごとに調整値を変更することも容易である。
【００４０】
さらに、本実施形態においては、拡大回路１３６によって、画像の拡大、すなわち切り出し基準範囲３０４と同等のサイズ・画素数となるように、拡大処理を行なっているので、いつも所定サイズの画像を出力することができる。このため、カメラ本体２００側では、所定サイズの画像データにするための画像処理を行なう必要がない。
【００４１】
さらに、本実施形態においては、撮像素子ユニット（撮像素子パッケージ）１３０内の各チップ基板はＳｉＰ（システム・イン・パッケージ）実装で構成されている。このため撮像素子周辺の回路をコンパクトにすることができ、レンズ鏡筒内に必要な部品を納めることができ、撮像モジュール全体の小型化を図ることができ、運搬性が良いという利点がある。
【００４２】
なお、本実施形態においては、拡大回路１３６は、切り出し基準範囲３０４と同等の画像サイズになるように、拡大処理（補間演算）を行なっていたが、これに限らず、切り出し範囲が中間程度の画像サイズより、小さい場合に、この中間サイズとなるように拡大処理を行なうようにしても良い。なた、中間サイズより大きい画像の場合には、間引き演算により画像サイズを小さくしても良い。このように、拡大回路１３６から出力される画像サイズ（画素数）の基準範囲は、適宜、変更可能である。
【００４３】
また、本実施形態においては、撮像素子ユニット１３０は、ＳｉＰ実装として、チップを積層するチップスタック型であったが、これに限らず、例えば、チップオンチップ型でも勿論良い。また、記憶回路１３８には切り出し座標と切り出し範囲の両方を組み合わせて記憶していたが、切り出し座標のみを記憶し、切り出し範囲は演算により求めるようにしても勿論構わない。
【００４４】
本発明の実施形態の説明にあたっては、デジタルカメラ本体と撮像モジュール組み合わせを例に挙げたが、デジタルカメラとしては一眼レフタイプやコンパクトタイプのデジタルカメラ等のいずれでも良く、またこれらのデジタルカメラ以外の専用機に組み込まれるような電子撮像装置と組み合わせる撮像モジュールにも本発明を適用できることは勿論である。
【図面の簡単な説明】
【００４５】
【図１】本発明の一実施形態における撮像モジュールと、これと組み合わせるカメラ本体の電気回路図である。
【図２】本発明の一実施形態における撮像モジュールの断面図である。
【図３】本発明の一実施形態における撮像素子ユニット１３０の断面図である。
【図４】本発明の一実施形態におけるズーミングの概念を示す図であって、（Ａ）は撮像可能領域の画像データから切り出しを説明する図であり、（Ｂ）は拡大回路によって拡大された様子を示す図である。
【符号の説明】
【００４６】
１００・・・撮像モジュール、１１０・・・レンズ鏡筒ユニット、１１２・・・撮影光学系、１１３・・・ＮＤフィルタ、１１４・・・レンズ駆動機構、１１４ａ・・・レンズ駆動用アクチュエータ、１１５・・・光量調節機構、１１５ａ・・・ＮＤフィルタ駆動用アクチュエータ、１１６・・・移動枠、１１７・・・固定枠、１１８・・・撮像素子基板、１１９・・・ネジ、１２０・・・撮像回路ユニット、１２１・・・赤外カットフィルタおよびローパスフィルタ、１３０・・・撮像素子ユニット、１３１・・・撮像素子、１３２・・・アナログ信号処理回路、１３３・・・Ａ／Ｄ変換回路、１３４・・・一時記憶メモリ、１３５・・・読出回路、１３６・・・拡大回路、１３７・・・設定回路、１３８・・・記憶回路、１６２・・・第１回路基板、１６３・・・第２回路基板、１６４ａ・・・第１スペーサー、１６４ｂ・・・第２スペーサー、１６５・・・ボンディングワイヤ、１６６・・・インターポーザ、１６７・・・電極、１６８・・・カバーガラス、１６９・・・パッケージ、２００・・・カメラ本体、２０１・・・ＣＰＵ、２０３・・・画像処理回路、２０５・・・液晶モニタ駆動回路、２０６・・・液晶モニタ、２１０・・・記録媒体制御回路、２１１・・・記録媒体、２１３・・・ズームスイッチ、３０１・・・撮像可能領域、３０３・・・切り出し基準座標、３０４・・・切り出し基準範囲、３０５・・・切り出し座標、３０６・・・切り出し範囲
【図１】
2008193359.tif 000003
【図２】
2008193359.tif 000004
【図３】
2008193359.tif 000005
【図４】
2008193359.tif 000006